(57)【要約】【課題】陰唇間の空間に挿入されて用いられる女性用の吸収性物品であって、着用中に脱落や位置ずれ、吸収した液の漏れ出しが生じにくく、身体や下着等の汚染や使用感の悪化を防止することのできる吸収性物品を提供すること。【解決手段】液保持性の吸収層及び液不透過性の防漏層を備え、陰唇間の空間に挿入されて用いられる女性用吸収性物品であって、前記吸収層の肌当接面４の周縁部に、粘着剤が塗工された粘着剤塗布部５が、該周縁部の全周に亘って設けられている女性用吸収性物品１。【選択図】　図１
2004129923.tif 000002
【特許請求の範囲】
【請求項１】
液保持性の吸収層及び液不透過性の防漏層を備え、陰唇間の空間に挿入されて用いられる女性用吸収性物品において、
前記吸収層の肌当接面の周縁部に、粘着剤が塗工された粘着剤塗布部が、該周縁部の全周に亘って設けられている女性用吸収性物品。
【請求項２】
前記粘着剤塗布部の内側に、粘着剤がパターン塗工された第２の粘着剤塗布部が設けられている請求項１記載の女性用吸収性物品。
【請求項３】
縦長扁平であり、長さが５０〜１１０ｍｍ、幅が３０〜７０ｍｍ、厚みが１〜１５ｍｍである請求項１又は２記載の女性用吸収性物品。
【発明の詳細な説明】
【０００１】
【発明の属する技術分野】
本発明は、陰唇間の空間に挿入されて用いられる女性用吸収性物品に関する。
【０００２】
【従来の技術及び発明が解決しようとする課題】
従来、経血、下り物、失禁尿等の吸収に用いられる女性用の吸収性物品として、ショーツ、パンティ等の下着の内表面上に載置固定されて着用される吸収性物品、例えば生理用ナプキンやパンティライナーと、膣内に挿入されて用いられるタンポンとが広く知られている。
これらとは使用方法が大きく異なる女性用の吸収性物品として、液透過性の表面シート、液不透過性の裏面シート及びこれら両者間に位置する吸収体（吸収性核）を備え、長手方向の軸に沿って二つ折りした状態で、着用者の陰唇間の空間に挿入して用いられる吸収性物品が提案されている（特許文献１参照）。
しかしながら、この吸収性物品においては、着用者の活動によって、脱落や位置ずれが生じ易く、それによって、身体や下着等が汚れたり、使用感が悪化したりする恐れがある。また、その薄さ等から液の保持性が充分ではなく、液を多量に吸収した場合や圧力を受けた場合などに、吸収した液が漏れ出す恐れがある。
【０００３】
従って、本発明の目的は、陰唇間の空間に挿入されて用いられる女性用の吸収性物品であって、着用中に脱落や位置ずれ、吸収した液の漏れ出しが生じにくく、身体や下着等の汚染や使用感の悪化を防止することのできる吸収性物品を提供することにある。
【０００４】
【特許文献１】
特表２００１−５０６１６８号公報
【０００５】
【課題を解決するための手段】
本発明は、液保持性の吸収層及び液不透過性の防漏層を備え、陰唇間の空間に挿入されて用いられる女性用吸収性物品において、前記吸収層の肌当接面の周縁部に、粘着剤が塗工された粘着剤塗布部が、該周縁部の全周に亘って設けられている女性用吸収性物品を提供することにより、上記の目的を達成したものである。
【０００６】
【発明の実施の形態】
以下、本発明をその好ましい実施形態に基づき図面を参照しながら説明する。本発明の一実施形態としての女性用吸収性物品１は、図１〜図３に示すように、液保持性の吸収層２及び液不透過性の防漏層３を備え、吸収層２と防漏層３とは積層されている。
【０００７】
吸収層１は、液透過性の表面シート２１と液保持性の吸収体２２とからなり、防漏層３は、液不透過性の裏面シート３１からなる。
表面シート２１及び裏面シート３１は、それぞれ、平面視において楕円形状であり、吸収体２２の周縁より延出した部分において互いに接合されている。吸収体２２は、表面シート２１と裏面シート３１との間に挟持固定されており、平面視形状が、表裏面シート２１，３１と略相似形の楕円形状である。
【０００８】
本物品１は、概略形状が縦長扁平状であり、長さＬ（図３参照）が５０〜１１０ｍｍ、幅Ｗ（図３参照）が３０〜７０ｍｍ、厚みＴ（図２参照）が１〜１５ｍｍである。
【０００９】
本物品１は、折り曲げ部がその長手方向に沿って生じるように幅方向に折り曲げられ、着用者の陰唇間の空間に挿入されて用いられる。そして、その使用状態においては、表面シート２１における吸収体２２側とは反対側の面の全体が、着用者の陰唇及び／又は陰唇間に位置する部分に当接する肌当接面４である。
【００１０】
表面シート２１の肌当接面４の周縁部には、粘着剤が塗工された粘着剤塗布部５が、該周縁部の全周に亘って設けられている。
粘着剤塗布部５は、周縁部の全周に亘って、肌当接面４の周縁端（本実施形態では表面シート２１の周縁端又は物品１の周縁端と同じ）から該周縁端の放線方向（接線に直交する方向）に５ｍｍ以上１５ｍｍ以下の幅で設けられていることが、吸収面積の低下を抑制しつつ、吸収した液の漏れ出しを防止し、更に着用者の肌に対する固定性を高める観点から好ましく、特に５ｍｍ以上１０ｍｍ以下の幅で設けられていることが好ましい。尚、粘着剤塗布部５の外周端は、通常、肌当接面４の周縁端と一致する位置にあるが、肌当接面４の周縁端に液の漏れ出しが生じないような構造がある場合等には、周縁端から多少離間した位置（例えば２〜４ｍｍ程度離間した位置）にあっても良い。
【００１１】
粘着剤塗布部５の幅Ｗ１（図２参照）は、肌当接面４の全周に亘って必ずしも均一である必要はない。
【００１２】
粘着剤塗布部５は、表面シート２１の表面に、粘着剤をべた塗り塗工して形成されている。べた塗りで粘着剤を隙間なく塗工することで、表面シート１の周縁部からの液のにじみ出しを効果的に防止することができる。
粘着剤塗布部５の形成に用いる粘着剤としては、粘着剤により液を透過させない防漏領域を形成させる観点、及び肌への刺激が少なく、粘着剤として経時的に安定であり、且つ安価材料を選定する観点から、スチレン・エチレン・ブチレン・スチレンブロック共重合体（ＳＥＢＳ）又はスチレン・エチレン・プロピレン・スチレンブロック共重合体（ＳＥＰＳ）を３０〜７０重量％、水添された炭化水素系樹脂を４０〜６０重量％、及びプロセスオイルを５〜１５重量％を含有する粘着剤が特に好ましい。
【００１３】
粘着剤塗布部５における粘着剤の塗工量は、粘着剤により液を透過させない防漏領域を形成させる観点及び肌に対する充分な粘着性を得る観点から２０〜８０ｇ／ｍ２好ましく、特に３０〜５０ｇ／ｍ２が好ましい。
【００１４】
本実施形態の吸収性物品１における粘着剤塗布部５の内側（粘着剤塗布部５で囲まれた領域）には、粘着剤がパターン塗工された第２の粘着剤塗布部６が設けられている。
ここで、パターン塗工とは、粘着剤が配された部分と粘着剤が配されていない部分とが混在した状態に生じる塗工方法であり、具体例には、ドットパターン、ストライプパターン（縞状パターン）、格子パターン、市松模様状のパターン等が挙げられる。
ドットパターンとしては、平面視形状が円形、菱形、楕円形等の個々独立した形状の粘着部を多数散点状に配したものを挙げることができる。図４（ａ）に、粘着剤をドットパターンで塗工して形成された第２の粘着剤塗布部６を有する吸収性物品を示した。
ストライプパターン（縞状パターン）としては、本実施形態の粘着剤塗布部６のように直線状の粘着部を多数本平行状に配したものの他、直線状の粘着部を多数本非平行状に配したものや、連続波形、ジグザグ形状等の非直線状の粘着部を多数本平行又は非平行状に配したものを挙げることができる。多数本の平行状な線状粘着部からなるストライプパターンは、個々の粘着部が、それぞれ収性物品１の長手方向に延びるものの他、該長手方向に対して傾斜した粘着部を有するもの（斜めストライプ）であっても良い。
格子パターンとしては、直線状の粘着部を格子状に配したものの、概ね一方向に延びる連続波形状の粘着部を縦横にそれぞれ複数本配して格子状にしたもの等を挙げることができる。また、図４（ｂ）に、粘着剤を市松模様状のパターンで塗工して形成された第２の粘着剤塗布部６を有する吸収性物品を示した。
【００１５】
第２の粘着剤塗布部６においては、粘着剤が配された部分（粘着剤配置部ともいう）と粘着剤が配されていない部分（粘着剤非配置部ともいう）とが混在しているが、液吸収領域を狭くすることなく着用者に対する固定安定性を高める観点から、第２の粘着剤塗布部６全面積に対する粘着剤配置部の面積割合は１０〜８０％、特に３０〜５０％であることが好ましい。また、同様の観点から、粘着剤塗布部５と第２の粘着剤塗布部６の合計面積は、吸収性物品１の肌当接面４の全面積の８０％以内であることが好ましく、また、第２の粘着剤塗布部６は、粘着剤塗布部５の内側縁に沿ってそのすぐ内側に形成されていることが好ましい。
【００１６】
図３は、本物品１における粘着剤塗布部５及び第２の粘着剤塗布部６を環状の剥離材７で被覆した状態を示すもので、本物品１は、通常、このように両粘着剤塗布部５，６を剥離材７で保護した状態で流通される。尚、物品１を個別包装する場合、包装材の全体又は一部に剥離処理を施し、これを剥離材として用いることもできる。
【００１７】
本実施形態の女性用吸収性物品１の使用方法の好ましい例について説明する。先ず、本物品１を手に持ち、剥離シートを剥がした後、裏面シート３１側の幅方向中央部付近を指で表面シート２１側が凸となるように押圧し、物品１を幅方向に折り曲げた状態とする。そして、その状態を維持しながら、着用者の陰唇間の空間に挿入する。この挿入に際しては、物品１の長手方向が着用者の前後方向と一致するようにすると共に、第２の粘着剤塗布部６に囲まれた中央部分が膣口が位置するようにする。尚、物品１を配置する箇所（陰唇間の空間）は、特表２００１−５０６１６８号公報に記載の吸収性物品の配置個所と同じである。
【００１８】
本実施形態の女性用吸収性物品１によれば、肌当接面４の周縁部に設けた粘着剤塗布部５が、液を透過させないか又は少なくとも透過させにくい防漏部として機能するため、吸収層２ないし吸収体２２に吸収された液が、吸収性物品１の周縁部から漏れ出すことを、効果的に防止することができる。
また、この粘着剤塗布部５は、着用者の陰唇（大陰唇及び／又は小陰唇）の壁、及び左右の陰唇間に位置する部位に粘着するため、着用中、その配置位置にずれが生じたり、脱落が生じたりすることがない。そのため、身体や下着等の汚染や使用感の悪化が防止され、また、着用中、安定した吸収性能が維持される。
更に、第２の粘着剤塗布部６は、着用者に適度に粘着すると共に液の吸収が可能であるため、第２の粘着剤塗布部６を、粘着剤塗布部５の内側に形成することにより、液吸収領域を狭くすることなく、着用者に対する固定安定性を一層向上させることができる。
【００１９】
尚、本物品は、単独で使用することができ、また、従来公知のナプキン、パンティライナー、失禁パッド、タンポンと併用することもできる。本発明の効果（特に身体や下着等を汚さないという効果）は、特に単独使用の場合に顕著である。
【００２０】
本実施形態の女性用吸収性物品１の各部の形成材料について説明すると、表面シート２１、裏面シート３１及び吸収体２２としては、それぞれ生理用ナプキン、パンティライナー等の吸収性物品に従来用いられているものを特に制限なく用いることができる。また、特表２００１−５０６１６８号公報に記載のものを用いることができる。尚、吸収体２２としては、高吸水性ポリマーを含有するものが好ましく、高吸水性ポリマーの存在形態としては、繊維集合体の繊維間間隙又は多層構造の繊維集合体の層間に保持させる形態が挙げられる。
【００２１】
本発明は、上記実施形態に制限されず、本発明の趣旨を逸脱しない範囲において適宜変更可能である。
例えば、吸収性物品の平面視形状は、楕円形の他、卵形、角部を円弧状とした台形、角部を円弧状とした長方形等とすることができる。また、粘着剤塗布部５の粘着剤と第２の粘着剤塗布部６の粘着剤とは、同じ種類でも異なる種類でも良い。
【００２２】
【発明の効果】
本発明の女性用吸収性物品は、陰唇間の空間に挿入されて用いられる女性用の吸収性物品であって、着用中に脱落や位置ずれ、吸収した液の漏れ出しが生じにくく、身体や下着等の汚染や使用感の悪化を防止することができるものである。
【図面の簡単な説明】
【図１】図１は、本発明の一実施形態としての女性用吸収性物品を示す概略斜視図である。
【図２】図２は、図１のＸ−Ｘ線断面を模式的に示す断面図である。
【図３】図３は、図１の女性用吸収性物品の粘着部を剥離材で被覆保護した状態を示す平面図である。
【図４】図４は、本発明の他の実施形態における粘着剤の塗工パターンを示す図である。
【符号の説明】
１　女性用吸収性物品
２　液保持性の吸収層
２１　表面シート
２２　吸収体
３　液不透過性の防漏層
３１　裏面シート
４　肌当接面
５　粘着剤塗布部
６　第２の粘着剤塗布部
７　剥離材
【図１】
2004129923.tif 000003
【図２】
2004129923.tif 000004
【図３】
2004129923.tif 000005
【図４】
2004129923.tif 000006